【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
切削工具キー（２２、１２２）が回転係止方向（ＲＬ）に回転可能であるキー中心軸線（Ａ）を有する、前記切削工具キー（２２、１２２）であって、前記キー中心軸線（Ａ）が前後方向（ＤＦ、ＤＲ）に延び、前記切削工具キー（２２、１２２）が、
前記キー中心軸線（Ａ）を中心に前記切削工具キー（２２、１２２）を回転作動させるための、ハンドル構成要素（２８）と、
前記ハンドル構成要素（２８）に取り付けられるとともに前記キー中心軸線（Ａ）に沿って前記ハンドル構成要素（２８）から前記後方向（ＤＲ）に延びる係止部材（４０）であって、その後端部に、切削ヘッド（２４）を受け入れるヘッド収容部分（５８）を含む係止部材（４０）と、
前記係止部材（４０）に取り付けられたスリーブ部材（４８）とを含み、
前記スリーブ部材（４６）が、弾性的な可撓性を有するとともに、前記ヘッド収容部分（５８）を円周方向に取り囲む、
切削工具キー（２２、１２２）。
【請求項２】
前記スリーブ部材（４６）が、スリーブ内面（７８）により周方向に境界が定められた、スリーブ貫通空洞（７２）を含み、前記スリーブ貫通空洞（７２）が少なくとも後方スリーブ開口（７６）に開口し、かつ
前記スリーブ内面（７８）が、前記後方スリーブ開口（７６）から前記ヘッド収容部分（５８）に向かって延びる案内面（８０）を含む、請求項１に記載の切削工具キー（２２、１２２）。
【請求項３】
前記スリーブ貫通空洞（７２）は、前記スリーブ部材（４６）が撓んでいないときに円筒形状を有する、請求項２に記載の切削工具キー（２２、１２２）。
【請求項４】
前記スリーブ部材（４６）がシリコーンで作製される、請求項１〜３のいずれか一項に記載の切削工具キー（２２、１２２）。
【請求項５】
前記スリーブ部材（４６）が透明または半透明である、請求項１〜４のいずれか一項に記載の切削工具キー（２２、１２２）。
【請求項６】
前記係止部材（４０）が、前記係止部材（４０）の前方端部において前記ハンドル構成要素（２８）に取り付けられる、請求項１〜５のいずれか一項に記載の切削工具キー（２２、１２２）。
【請求項７】
前記ハンドル構成要素（２８）と前記係止部材（４０）とが共に一体に形成されて単一のワンピース構造を有する、請求項１〜６のいずれか一項に記載の切削工具キー（２２、１２２）。
【請求項８】
前記係止部材（４０）が、前記ハンドル構成要素（２８）から前記キー中心軸線（Ａ）に沿って前記後方向（ＤＲ）に延びる円周方向係止部材周面（４２）を含み、かつ
前記スリーブ部材（４６）が、前記係止部材周面（４２）上に位置するスリーブ装着部分（４４）に離脱可能にかつ弾性的に取り付けられる、請求項１〜７のいずれか一項に記載の切削工具キー（２２、１２２）。
【請求項９】
前記スリーブ装着部分（４４）が、前記キー中心軸線（Ａ）に向かって径方向内方に前記後方向（ＤＲ）に先細りになる円錐面（４８）を含む、請求項８に記載の切削工具キー（２２）。
【請求項１０】
前記スリーブ装着部分（４４）が、第１の円筒直径（Ｄ１）を有する第１の円筒面（５０ａ）を含み、
前記スリーブ装着部分（４４）は、第２の円筒直径（Ｄ２）を有するとともに前記第１の円筒面（５０ａ）の前方に位置する第２の円筒面（５０ｂ）を更に含み、
前記第２の円筒直径（Ｄ２）は、前記第１の円筒直径（Ｄ１）よりも大きい、請求項８に記載の切削工具キー（１２２）。
【請求項１１】
前記係止部材周面（４２）が、略前記後方向（ＤＲ）に面する軸方向停止面（５２）を含み、かつ
前記スリーブ部材（４６）が、前記軸方向停止面（５２）に接触する、請求項８に記載の切削工具キー（２２、１２２）。
【請求項１２】
前記ハンドル構成要素（２８）が、ハンドル上面（３０）と、ハンドル底面（３２）と、前記ハンドル上面（３０）と前記ハンドル底面（３２）との間に延びるハンドル周面（３４）とを含み、かつ
前記ハンドル上面（３０）および前記ハンドル底面（３２）が、平面状であるとともに前記キー中心軸線（Ａ）に直交する、請求項１〜１１のいずれか一項に記載の切削工具キー（２２、１２２）。
【請求項１３】
前記係止部材（４０）が、前記ハンドル底面（３２）の径方向中心部分から前記後方向（ＤＲ）に突出する、請求項１２に記載の切削工具キー（２２、１２２）。
【請求項１４】
前記切削工具キー（２２、１２２）が、前記ハンドル上面（３０）と前記ヘッド収容部分（５８）との間に延びるとともに前記ハンドル上面（３０）と前記ヘッド収容部分（５８）とに開口する取出用貫通孔６６を更に含む、請求項１２に記載の切削工具キー（２２、１２２）。
【請求項１５】
切削ヘッド（２４）と、
請求項１に記載の切削工具キー（２２、１２２）とを含み、
切削ヘッドキー組立体（１４２）が組立位置と組立前位置との間で調整可能であり、ならびに
前記組立位置では、前記切削ヘッド（２４）が前記ヘッド収容部分（５８）に嵌合されかつ前記スリーブ部材（４６）により弾性的に締め付けられる、
切削ヘッドキー組立体（１４２）。
【請求項１６】
前記切削ヘッド（２４）が、前後方向（ＤＦ、ＤＲ）に延びるとともに前記切削ヘッド（２４）が回転方向（Ｒ）に回転可能であるヘッド中心軸線（Ｃ）を有し、前記切削ヘッド（２４）が、前記ヘッド中心軸線（Ｃ）に対して径方向外方に延びる複数の切削アーム（９６）を含み、各切削アーム（９６）が、対向するアーム回転先行面（９８）およびアーム回転後行面（１００）と、前記アーム回転先行面（９８）と前記アーム回転後行面（１００）との間に周方向に延びるアーム周面（１０２）とを含み、
前記アーム周面（１０２）が切削ヘッド直径（ＤＨ）を画定し、
前記スリーブ部材（４６）が、少なくとも後方スリーブ開口（７６）に開口するスリーブ貫通空洞（７２）を含み、前記スリーブ貫通空洞（７２）が、スリーブ内面（７８）により周方向に境界が定められるとともに、前記スリーブ部材（４６）が撓んでいないときにスリーブ直径（ＤＳ）を有し、ならびに
前記切削ヘッドキー組立体（１４２）の前記組立前位置では、
前記切削ヘッド（２４）が前記切削工具キー（２２、１２２）に取り付けられておらず、かつ
前記切削ヘッド直径（ＤＨ）が前記スリーブ直径（ＤＳ）よりも大きい、
請求項１５に記載の切削ヘッドキー組立体（１４２）。
【請求項１７】
前記スリーブ内面（７８）が、前記後方スリーブ開口（７６）から前記ヘッド収容部分（５８）に向かって延びる案内面（８０）を含む、請求項１６に記載の切削ヘッドキー組立体（１４２）。
【請求項１８】
前記切削ヘッド（２４）が、ヘッド後面（８８）から後方に突出するヘッド連結ピン（１１０）を含むヘッド連結部分（８４）を含み、かつ
前記組立位置では、前記ヘッド連結ピン（１１０）が、前記後方スリーブ開口（７６）を貫通して前記後方スリーブ開口（７６）を越えて前記後方向（ＤＲ）に延びる、請求項１７に記載の切削ヘッドキー組立体（１４２）。
【請求項１９】
ホルダ長手方向軸線（Ｄ）を有する工具ホルダ（２６）へのヘッド中心軸線（Ｃ）を有する切削ヘッド（２４）の離脱可能な取付方法であって、前記切削ヘッド（２４）が、切削工具キー（２２、１２２）に装着される可撓性スリーブ部材（４６）であって、前記切削ヘッド（２４）に摩擦係合するスリーブ内面（７８）を有する可撓性スリーブ部材（４６）により、前記切削工具キー（２２、１２２）に取り付けられ、前記方法が、
前記工具ホルダ（２６）の前方端部に隣接して前記切削ヘッド（２４）が取り付けられた前記切削工具キー（２２、１２２）を位置決めすることと、
前記前方端部の一部分が前記可撓性スリーブ部材（４６）に受け入れられ、前記切削ヘッド（２４）が前記工具ホルダ（２６）の前記前方端部に係合するように前記切削工具キー（２２、１２２）を前記工具ホルダ（２６）に向かう方向に移動させることと、
前記切削ヘッド（２４）が前記工具ホルダ（２６）に固定されるまで前記切削工具キー（２２、１２２）を回転させることと、
前記前方端部の前記部分がもはや前記可撓性スリーブ部材（４６）に受け入れられなくなるまで、前記切削工具キー（２２、１２２）を前記工具ホルダ（２６）から離れる方向に移動させることと
を含む、方法。
【請求項２０】
前記切削工具キー（２２、１２２）を前記工具ホルダ（２６）に向かう方向に移動させるステップの後に、前記スリーブ内面（７８）を前記工具ホルダ（２６）のホルダ周面（１１８）に沿って摺動させるステップを更に含む、請求項１９に記載の方法。